(57)【要約】【課題】電柱に容易に取り付けることができる保護部材及び絶縁シートを提供することである。【解決手段】電柱の側面に巻き付けられて筒状をなすことができるシート本体を含む絶縁シートと、筒状をなした前記シート本体の外周面に巻き付けられて、該シート本体を前記電柱に固定するベルトと、を備えており、前記ベルトの一端は、前記シート本体の外周面に対して固定され、前記絶縁シートは、展開された状態の前記シート本体の外周面における前記ベルトが延在する延在方向に該ベルトの一端から離れた位置において、該延在方向に直交する直交方向への該ベルトの移動を規制する規制部を、更に含んでいること、を特徴とする保護部材。【選択図】図４
2015122827.tif 000002
【特許請求の範囲】
【請求項１】
電柱の側面に巻き付けられて筒状をなすことができるシート本体を含む絶縁シートと、
筒状をなした前記シート本体の外周面に巻き付けられて、該シート本体を前記電柱に固定するベルトと、
を備えており、
前記ベルトの一端は、前記シート本体の外周面に対して固定され、
前記絶縁シートは、展開された状態の前記シート本体の外周面における前記ベルトが延在する延在方向に該ベルトの一端から離れた位置において、該延在方向に直交する直交方向への該ベルトの移動を規制する規制部を、更に含んでいること、
を特徴とする保護部材。
【請求項２】
前記ベルトの両面には面ファスナーが設けられており、
前記絶縁シートは、前記シート本体の外周面に設けられている固定部であって、前記ベルトの一端を固定するための面ファスナーからなる固定部と、該シート本体の外周面に設けられている仮止め部であって、該ベルトが係着できる面ファスナーからなる仮止め部と、を更に含んでおり、
前記ベルトにおいて前記シート本体に接する第１の面は、面ファスナーのフック又はループのいずれか一方からなり、
前記ベルトにおいて前記シート本体に接しない第２の面には、面ファスナーのフック又はループのいずれか他方からなり、
前記固定部は、面ファスナーのフック又はループのいずれか他方からなり、
前記仮止め部は、面ファスナーのフック又はループのいずれか一方からなること、
を特徴とする請求項１に記載の保護部材。
【請求項３】
前記ベルトの両面には面ファスナーが設けられており、
前記ベルトの一端は、溶着又は縫製により前記シート本体の外周面に対して固定され、
前記絶縁シートは、前記シート本体の外周面に設けられている仮止め部であって、前記ベルトが係着できる面ファスナーからなる仮止め部を更に含んでおり、
前記ベルトにおいて前記シート本体に接する第１の面は、面ファスナーのフック又はループのいずれか一方からなり、
前記ベルトにおいて前記シート本体に接しない第２の面には、面ファスナーのフック又はループのいずれか他方からなり、
前記仮止め部は、面ファスナーのフック又はループのいずれか一方からなること、
を特徴とする請求項１に記載の保護部材。
【請求項４】
前記規制部は、前記ベルトが通過することができるベルトループであること、
を特徴とする請求項１ないし請求項３のいずれかに記載の保護部材。
【請求項５】
電柱の側面に巻き付けられて筒状をなすことができると共に、外周面にベルトが巻き付けられることによって該電柱に固定されるシート本体と、
前記シート本体の外周面に設けられ、前記ベルトの一端が固定される固定部と、
前記ベルトの一端が前記固定部に固定された場合に、展開された状態の前記シート本体の外周面における該ベルトが延在する延在方向に前記固定部から離れた位置において、該延在方向に直交する直交方向への該ベルトの移動を規制する規制部と、
を備えていること、
を特徴とする絶縁シート。
【発明の詳細な説明】
【技術分野】
【０００１】
本発明は、保護部材及び絶縁シートに関し、より特定的には、電柱の側面を保護する保護部材及び絶縁シートに関する。
【背景技術】
【０００２】
従来の保護部材に関する発明としては、例えば、特許文献１に記載の電柱シート体が知られている。図１３は、特許文献１に記載の電柱シート体５００の展開図である。
【０００３】
電柱シート体５００は、シート本体５０２及び複数の結束用面状ファスナー５０４を備えている。シート本体５０２は、展開状態で長方形状をなしている。結束用面状ファスナー５０４は、シート本体５０２の右側の長辺に接続されているベルトである。結束用面状ファスナー５０４の両面には面状ファスナーが設けられている。
【０００４】
以上のような電柱シート体５００では、シート本体５０２が電柱の側面に巻き付けられる。そして、結束用面状ファスナー５０４は、シート本体５０２の外周面を周回することにより、シート本体５０２を電柱に固定する。また、結束用面状ファスナー５０４の端部の裏面は、結束用面状ファスナー５０４の表面に対して係着している。
【０００５】
ところで、特許文献１に記載の電柱シート体５００では、シート本体５０２を電柱に巻き付ける際に、結束用面状ファスナー５０４が邪魔になるという問題が存在する。
【先行技術文献】
【特許文献】
【０００６】
【特許文献１】特開２０１３−２２５９８９号公報
【発明の概要】
【発明が解決しようとする課題】
【０００７】
そこで、本発明の目的は、電柱に容易に取り付けることができる保護部材及び絶縁シートを提供することである。
【課題を解決するための手段】
【０００８】
本発明の一形態に係る保護部材は、電柱の側面に巻き付けられて筒状をなすことができるシート本体を含む絶縁シートと、筒状をなした前記シート本体の外周面に巻き付けられて、該シート本体を前記電柱に固定するベルトと、を備えており、前記ベルトの一端は、前記シート本体の外周面に対して固定され、前記絶縁シートは、展開された状態の前記シート本体の外周面における前記ベルトが延在する延在方向に該ベルトの一端から離れた位置において、該延在方向に直交する直交方向への該ベルトの移動を規制する規制部を、更に含んでいること、を特徴とする。
【０００９】
本発明の一形態に係る絶縁シートは、電柱の側面に巻き付けられて筒状をなすことができると共に、外周面にベルトが巻き付けられることによって該電柱に固定されるシート本体と、前記シート本体の外周面に設けられ、前記ベルトの一端が固定される固定部と、前記ベルトの一端が前記固定部に固定された場合に、展開された状態の前記シート本体の外周面における該ベルトが延在する延在方向に前記固定部から離れた位置において、該延在方向に直交する直交方向への該ベルトの移動を規制する規制部と、を備えていること、を特徴とする。
【発明の効果】
【００１０】
本発明によれば、保護部材を電柱に容易に取り付けることができる。
【図面の簡単な説明】
【００１１】
【図１】保護部材１０の展開図である。
【図２】保護部材１０の絶縁シート１２の展開図である。
【図３】保護部材１０の電柱への取り付けの説明図である。
【図４】保護部材１０の電柱への取り付けの説明図である。
【図５】保護部材１０の電柱への取り付けの説明図である。
【図６】保護部材１０の電柱への取り付けの説明図である。
【図７】保護部材１０の電柱への取り付けの説明図である。
【図８】第１の変形例に係る絶縁シート１２ａの展開図である。
【図９】第２の変形例に係る絶縁シート１２ｂの展開図である。
【図１０】第３の変形例に係る絶縁シート１２ｃの展開図である。
【図１１】第４の変形例に係る保護部材１０ａの展開図である。
【図１２】第５の変形例に係る保護部材１０ｂの展開図である。
【図１３】特許文献１に記載の電柱シート体５００の展開図である。
【発明を実施するための形態】
【００１２】
（保護部材の構成）
以下に、本発明の一実施形態に係る保護部材１０について図面を参照しながら説明する。図１は、保護部材１０の展開図である。図２は、保護部材１０の絶縁シート１２の展開図である。以下では、絶縁シート１２の長辺が延在している方向を上下方向と定義し、絶縁シート１２の短辺が延在している方向を左右方向と定義し、絶縁シート１２の法線方向を前後方向と定義する。上下方向、左右方向及び前後方向は互いに直交している。
【００１３】
保護部材１０は、電柱の建て替え工事において、新設又は撤去する電柱の側面を保護するために用いられる。保護部材１０は、図１に示すように、絶縁シート１２及びベルト１４ａ，１４ｂを備えている。
【００１４】
絶縁シート１２は、図１及び図２に示すように、シート本体１６、固定部１８ａ，１８ｂ、ベルトループ２０ａ，２０ｂ及び仮止め部２２ａ，２２ｂを含んでいる。
【００１５】
シート本体１６は、展開状態において、前側から平面視したときに、長方形状をなしており、単層からなる。以下では、シート本体１６の前側の面を表面と呼び、シート本体１６の後ろ側の面を裏面と呼ぶ。シート本体１６は、可撓性を有しており、後述するように、電柱の側面に対して巻き付けられることにより円筒形状をなすことができる。このようなシート本体１６の材料としては、例えば、エチレン・酢酸ビニル共重合樹脂等の絶縁性材料が挙げられる。なお、シート本体１６は、絶縁性の外布に絶縁性のフィルムを内包させた積層タイプのシートであってもよい。
【００１６】
シート本体１６の上下方向の長さは、例えば、１２００ｍｍであり、シート本体１６の左右方向の長さは、電柱の側面の周長よりも長く、例えば、１０８０ｍｍである。シート本体１６の厚みは、１ｍｍ〜２．５ｍｍである。ただし、シート本体１６のサイズはこれに限らない。
【００１７】
固定部１８ａは、図２に示すように、シート本体１６の表面に設けられており、長方形状の面ファスナーのフック（雄）である。本実施形態では、固定部１８ａは、シート本体１６の表面において、シート本体１６の上下方向の中央よりも上側に位置し、更に、シート本体１６の左右方向の中央近傍に位置している。
【００１８】
固定部１８ｂは、図２に示すように、シート本体１６の表面に設けられており、長方形状の面ファスナーのフック（雄）である。本実施形態では、固定部１８ｂは、シート本体１６の表面において、シート本体１６の上下方向の中央よりも下側に位置し、更に、シート本体１６の左右方向の中央近傍に位置している。
【００１９】
ベルトループ２０ａは、図１及び図２に示すように、シート本体１６の表面に設けられており、上下方向に延在する帯状の可撓性部材である。本実施形態では、ベルトループ２０ａは、シート本体１６の表面において、固定部１８ａに対して右側に設けられており、より詳細には、シート本体１６の右側の長辺近傍に設けられている。これにより、固定部１８ａとベルトループ２０ａとは、左右方向におけるシート本体１６の長さの１／３以上離れている。ベルトループ２０ａの上端及び下端は、シート本体１６に対して縫製又は溶着により固定されている。
【００２０】
ベルトループ２０ｂは、図１及び図２に示すように、シート本体１６の表面に設けられており、上下方向に延在する帯状の可撓性部材である。本実施形態では、ベルトループ２０ｂは、シート本体１６の表面において、固定部１８ｂに対して右側に設けられており、より詳細には、シート本体１６の右側の長辺近傍に設けられている。これにより、固定部１８ｂの左端とベルトループ２０ｂとは、左右方向におけるシート本体１６の長さの１／３以上離れている。ベルトループ２０ｂの上端及び下端は、シート本体１６に対して縫製又は溶着により固定されている。
【００２１】
仮止め部２２ａは、図２に示すように、シート本体１６の表面に設けられており、長方形状の面ファスナーのループ（雌）である。本実施形態では、仮止め部２２ａは、シート本体１６の表面において、固定部１８ａに対して上側に設けられている。これにより、仮止め部２２ａは、ベルトループ２０ａよりも左側に設けられている。仮止め部２２ａの面積は、固定部１８ａの面積よりも小さい。
【００２２】
仮止め部２２ｂは、図２に示すように、シート本体１６の表面に設けられており、長方形状の面ファスナーのループ（雌）である。本実施形態では、仮止め部２２ｂは、シート本体１６の表面において、固定部１８ｂに対して下側に設けられている。これにより、仮止め部２２ｂは、ベルトループ２０ｂよりも左側に設けられている。仮止め部２２ｂの面積は、固定部１８ｂの面積よりも小さい。
【００２３】
ベルト１４ａ，１４ｂは、電柱に巻き付けられて円筒状をなしたシート本体１６に巻き付けられて、シート本体１６を電柱に固定する。ベルト１４ａ，１４ｂは、シート本体１６の左右方向の長さよりも長い帯状部材である。以下では、ベルト１４ａ，１４ｂの左端をそれぞれ端部ｔａ，ｔｃと呼び、ベルト１４ａ，１４ｂの右端をそれぞれ端部ｔｂ，ｔｄと呼ぶ。端部ｔａ，ｔｃは、ベルト１４ａ，１４ｂの左端及び左端から右方向へ所定距離だけ離れた位置までの領域を意味する。端部ｔｂ，ｔｄは、ベルト１４ａ，１４ｂの右端及び右端から左方向へ所定距離だけ離れた位置までの領域を意味する。所定距離とは、例えば、ベルト１４ａ，１４ｂの上下方向の幅と等しい。
【００２４】
また、ベルト１４ａ，１４ｂの前側の面を表面と呼び、ベルト１４ａ，１４ｂの後ろ側の面を裏面と呼ぶ。ベルト１４ａ，１４ｂの両面には、面ファスナーが設けられている。より具体的には、ベルト１４ａ，１４ｂの表面の略全面は、面ファスナーのフックである。ベルト１４ａ，１４ｂの裏面の略全面は、面ファスナーのループである。ベルト１４ａ，１４ｂは、面ファスナーのフックと面ファスナーのループとがそれぞれ背中合わせにファスナーに貼り付けられて縫製されることにより構成されている。
【００２５】
ベルト１４ａ，１４ｂの端部ｔａ，ｔｃはそれぞれ、図１に示すように、固定部１８ａ，１８ｂに係着されることにより、シート本体１６の表面に対して固定されている。これにより、ベルト１４ａ，１４ｂの端部ｔａ，ｔｃは、シート本体１６の表面において、該シート本体１６の左右方向の中央近傍に固定されている。そして、ベルト１４ａ，１４ｂはそれぞれ、端部ｔａ，ｔｃからシート本体１６の主面に沿って右方向へと延在している。したがって、右方向がベルト１４ａ，１４ｂの延在方向である。
【００２６】
また、ベルト１４ａ，１４ｂはそれぞれ、ベルトループ２０ａ，２０ｂを通過している。これにより、ベルトループ２０ａ，２０ｂは、ベルトの端部ｔａ，ｔｃ（すなわち、固定部１８ａ，１８ｂ）から右方向に離れた位置においてベルト１４ａ，１４ｂの上下方向の移動を規制している。本実施形態では、ベルトループ２０ａ，２０ｂはそれぞれ、ベルト１４ａ，１４ｂを右側の長辺近傍において上下方向の移動を規制している。
【００２７】
（保護部材１０の取り付け）
以下に、保護部材１０の電柱への取り付けについて図面を参照しながら説明する。図３ないし図７は、保護部材１０の電柱１００への取り付けの説明図である。
【００２８】
まず、ユーザは、図３に示すように、ベルト１４ａ，１４ｂの端部ｔｂ，ｔｄのそれぞれを仮止め部２２ａ，２２ｂに係着する。ここで、仮止め部２２ａ，２２ｂは面ファスナーのループである。そこで、ユーザは、ベルト１４ａ，１４ｂの端部ｔｂ，ｔｄの表面と仮止め部２２ａ，２２ｂとをそれぞれ係着させる。これにより、保護部材１０の電柱１００への取り付け時に、ベルト１４ａ，１４ｂが下方に垂れさがることが防止される。
【００２９】
次に、ユーザは、図４に示すように、シート本体１６の裏面が電柱１００の側面と接するように、シート本体１６を電柱１００の側面に巻き付ける。この際、ユーザは、電柱１００の延在方向（すなわち、鉛直方向）とシート本体１６の上下方向とを一致させて、シート本体１６の上下方向の短辺が電柱１００を中心として電柱１００の側面上を周回するように、シート本体１６を電柱１００の側面に巻き付ける。これにより、シート本体１６は、円筒状をなすようになる。シート本体１６の表面は、円筒の外周面を構成し、シート本体１６の裏面は、円筒の内周面を構成している。
【００３０】
次に、ユーザは、図５に示すように、ベルト１４ａ，１４ｂの端部ｔｂ，ｔｄを仮止め部２２ａ，２２ｂから引き剥がす。
【００３１】
次に、ユーザは、図６に示すように、電柱１００の側面に巻き付けられたシート本体１６の外周面の周囲を周回するようにベルト１４ａ，１４ｂを巻き付ける。この際、ユーザは、ベルト１４ａ，１４ｂの端部ｔｂ，ｔｄを強く引っ張ることにより、ベルト１４ａ，１４ｂを締め付ける。これにより、ベルト１４ａ，１４ｂは、電柱１００の周囲を１周以上周回するようになる。
【００３２】
次に、ユーザは、図７に示すように、ベルト１４ａ，１４ｂの端部ｔｂ，ｔｄをベルト１４ａ，１４ｂに対して係着させる。ベルト１４ａ，１４ｂの表面の略全面は、面ファスナーのフックである。一方、ベルト１４ａ，１４ｂの裏面の略全面は、面ファスナーのループである。そこで、ユーザは、ベルト１４ａ，１４ｂの端部ｔｂ，ｔｄの裏面をベルト１４ａ，１４ｂの表面に貼り付ける。本実施形態では、ユーザは、ベルト１４ａ，１４ｂの端部ｔｂ，ｔｄの裏面をベルト１４ａ，１４ｂの端部ｔａ，ｔｃ近傍の表面に貼り付ける。以上の工程により、保護部材１０が電柱１００に取り付けられる。
【００３３】
（効果）
以上のように構成された保護部材１０によれば、保護部材１０を電柱１００に容易に取り付けることが可能である。より詳細には、特許文献１に記載の電柱シート体５００では、結束用面状ファスナー５０４は、シート本体５０２の右側の長辺に接続されている。そして、結束用面状ファスナー５０４は、電柱シート体５００の電柱への取り付けの際に、電柱の周囲を１周以上周回する。したがって、電柱シート体５００では、シート本体５０２を電柱に巻き付ける際に、電柱の周囲の１周分以上の長さを有する結束用面状ファスナー５０４がシート本体５０２の右側の長辺から垂れ下がることになる。そのため、特許文献１に記載の電柱シート体５００では、シート本体５０２を電柱に巻き付ける際に、結束用面状ファスナー５０４が邪魔になるという問題が存在する。
【００３４】
一方、保護部材１０では、ベルト１４ａ，１４ｂの端部ｔａ，ｔｃは、シート本体１６の表面に対して固定されている。更に、ベルトループ２０ａ，２０ｂは、展開された状態のシート本体１６の外周面における右方向にベルト１４ａ，１４ｂの端部ｔａ，ｔｃから離れた位置において、上下方向へのベルト１４ａ，１４ｂの移動を規制している。これにより、保護部材１０では、ベルト１４ａ，１４ｂにおいて、端部ｔａ，ｔｂからベルトループ２０ａ，２０ｂに支持されている部分までの区間が、シート本体１６から垂れ下がることが抑制される。よって、保護部材１０では、ベルト１４ａ，１４ｂにおいて、ベルトループ２０ａ，２０ｂに支持されている部分よりも右側の区間が、シート本体１６から垂れ下がり得る。その結果、保護部材１０におけるベルト１４ａ，１４ｂが垂れ下がり得る区間の長さは、電柱シート体５００の結束用面状ファスナー５０４が垂れ下がり得る区間の長さよりも短くなる。よって、保護部材１０では、シート本体１６を電柱１００に巻き付ける際に、ベルト１４ａ，１４ｂが邪魔になりにくい。以上より、保護部材１０を電柱１００に容易に取り付けることが可能である。
【００３５】
また、保護部材１０によれば、以下の理由によっても、保護部材１０を電柱１００に容易に取り付けることが可能である。より詳細には、仮止め部２２ａ，２２ｂは、シート本体１６の表面に設けられており、ベルト１４ａ，１４ｂの端部ｔｂ，ｔｄが係着できるように構成されている。これにより、図３及び図４に示すように、ベルト１４ａ，１４ｂにおいて、ベルトループ２０ａ，２０ｂに支持されている部分よりも右側の区間が、シート本体１６から垂れ下がることが抑制される。よって、保護部材１０では、シート本体１６を電柱１００に巻き付ける際に、ベルト１４ａ，１４ｂが更に邪魔になりにくい。以上より、保護部材１０を電柱１００に容易に取り付けることが可能である。
【００３６】
また、保護部材１０によれば、ベルトループ２０ａ，２０ｂは、シート本体１６の右側の長辺近傍に設けられている。これにより、ベルトループ２０ａ，２０ｂと固定部１８ａ，１８ｂとの距離を長くすることができる。その結果、ベルト１４ａ，１４ｂにおいて、ベルトループ２０ａ，２０ｂに支持されている部分よりも右側の区間が短くなる。
【００３７】
また、保護部材１０によれば、ベルト１４ａ，１４ｂが絶縁シート１２から容易に外れることが防止される。より詳細には、特許文献１に記載の電柱シート体５００では、結束用面状ファスナー５０４は、シート本体５０２の右側の長辺に接続されている。そのため、結束用面状ファスナー５０４は、その幅の長さにおいてシート本体５０２に接続されているのみである。そのため、結束用面状ファスナー５０４が強く引っ張られた場合には、結束用面状ファスナー５０４とシート本体５０２との接続部分が破損し、結束用面状ファスナー５０４がシート本体５０２から外れるおそれがある。
【００３８】
一方、保護部材１０では、ベルト１４ａ，１４ｂはそれぞれ、固定部１８ａ，１８ｂにより固定されていると共に、ベルトループ２０ａ，２０ｂにより支持されている。そのため、ベルト１４ａ，１４ｂに加わった力はそれぞれ、固定部１８ａ，１８ｂとベルトループ２０ａ，２０ｂとに分散される。これにより、ベルト１４ａ，１４ｂが絶縁シート１２から容易に外れることが防止される。
【００３９】
また、保護部材１０によれば、図１及び図２に示すように、ベルトループ２０ａ，２０ｂがそれぞれ、固定部１８ａ，１８ｂの右側に設けられている。そのため、ベルト１４ａ，１４ｂの端部ｔｂ，ｔｄが前側に引っ張られたとしても、ベルト１４ａ，１４ｂがベルトループ２０ａ，２０ｂに引っかかる。これにより、ベルト１４ａ，１４ｂが前側に引っ張られる力が、ベルトループ２０ａ，２０ｂよりも左側には伝わりにくい。その結果、ベルト１４ａ，１４ｂの端部ｔａ，ｔｃが固定部１８ａ，１８ｂから外れることが抑制される。
【００４０】
また、保護部材１０によれば、ベルトループ２０ａ，２０ｂは、シート本体１６の右側の長辺近傍に設けられている。これにより、図６に示すように、ユーザがベルト１４ａ，１４ｂを締め付ける際に、ベルト１４ａ，１４ｂからシート本体１６の右側の長辺近傍に力が加わることに加えて、ベルトループ２０ａ，２０ｂを介してベルト１４ａ，１４ｂからシート本体１６の右側の長辺近傍に力が加わるようになる。このように、シート本体１６の右側の長辺近傍により大きな力が加わることにより、シート本体１６が電柱１００により密着するようになり、シート本体１６が電柱１００に対してずれることが抑制されるようになる。
【００４１】
また、保護部材１０によれば、ベルト１４ａ，１４ｂの表面は面ファスナーのフックであり、ベルト１４ａ，１４ｂの裏面は面ファスナーのループである。また、固定部１８ａ，１８ｂは面ファスナーのフックである。したがって、仮止め部２２ａ，２２ｂには、ベルト１４ａ，１４ｂの裏面が係着されることができ、ベルト１４ａ，１４ｂの表面が係着されることができない。したがって、保護部材１０では、ベルト１４ａ，１４ｂの裏面が誤って固定部１８ａ，１８ｂに取り付けられることが防止される。
【００４２】
また、保護部材１０によれば、ベルト１４ａ，１４ｂの表面は面ファスナーのフックであり、ベルト１４ａ，１４ｂの裏面は面ファスナーのループである。また、仮止め部２２ａ，２２ｂは面ファスナーのループである。したがって、仮止め部２２ａ，２２ｂには、ベルト１４ａ，１４ｂの表面が係着されることができ、ベルト１４ａ，１４ｂの裏面が係着されることができない。したがって、保護部材１０では、ベルト１４ａ，１４ｂの表面が誤って固定部１８ａ，１８ｂに取り付けられることが防止される。また、図３に示すように、ベルト１４ａ，１４ｂをねじることなくＵ字状に曲げることにより、ベルト１４ａ，１４ｂの端部ｔｂ，ｔｄの表面を仮止め部２２ａ，２２ｂに貼り付けることができる。
【００４３】
また、仮止め部２２ａ，２２ｂの面積は、固定部１８ａ，１８ｂの面積よりも小さい。これにより、ベルト１４ａ，１４ｂの端部ｔｂ，ｔｄと仮止め部２２ａ，２２ｂとが係着する力の大きさを小さくできる。よって、ベルト１４ａ，１４ｂの端部ｔｂ，ｔｄを仮止め部２２ａ，２２ｂから容易に外すことが可能となる。
【００４４】
（第１の変形例）
次に、第１の変形例に係る絶縁シートについて図面を参照しながら説明する。図８は、第１の変形例に係る絶縁シート１２ａの展開図である。
【００４５】
絶縁シート１２ａは、固定部１８ａ，１８ｂの形状において、絶縁シート１２と相違する。以下に、かかる相違点を中心に絶縁シート１２ａについて説明する。
【００４６】
絶縁シート１２ａの固定部１８ａ，１８ｂは、絶縁シート１２の固定部１８ａ，１８ｂに比べて左右方向に長い。そして、絶縁シート１２ａでは、固定部１８ａ，１８ｂはそれぞれ、シート本体１６の左右方向の中央からベルトループ２０ａ，２０ｂ近傍まで延在している。
【００４７】
以上のように構成された絶縁シート１２ａも、絶縁シート１２と同様の作用効果を奏することができる。
【００４８】
また、絶縁シート１２ａの固定部１８ａ，１８ｂの面積は、絶縁シート１２の固定部１８ａ，１８ｂの面積よりも大きい。したがって、ベルト１４ａ，１４ｂが強固に絶縁シート１２ａに係着するようになる。
【００４９】
（第２の変形例）
次に、第２の変形例に係る絶縁シートについて図面を参照しながら説明する。図９は、第２の変形例に係る絶縁シート１２ｂの展開図である。
【００５０】
絶縁シート１２ｂは、固定部１８ａ，１８ｂの形状、及び、ベルトループ２０ａ，２０ｂの有無において、絶縁シート１２と相違する。以下に、かかる相違点を中心に絶縁シート１２ｂについて説明する。
【００５１】
絶縁シート１２ｂでは、ベルトループ２０ａ，２０ｂが設けられていない。また、絶縁シート１２ｂの固定部１８ａ，１８ｂは、絶縁シート１２の固定部１８ａ，１８ｂに比べて左右方向に長い。そして、絶縁シート１２ｂでは、固定部１８ａ，１８ｂは、シート本体１６の左右方向の中央からシート本体１６の右側の長辺近傍まで延在している。以上のような絶縁シート１２ｂでは、固定部１８ａ，１８ｂの左端近傍がそれぞれ、ベルト１４ａ，１４ｂの端部ｔａ，ｔｃをシート本体１６に固定する固定部として機能する。また、固定部１８ａ，１８ｂの右端近傍がそれぞれ、ベルト１４ａ，１４ｂが上下方向に移動することを規制する規制部材として機能する。
【００５２】
以上のように構成された絶縁シート１２ｂも、絶縁シート１２と同様の作用効果を奏することができる。
【００５３】
また、絶縁シート１２ｂの固定部１８ａ，１８ｂの面積は、絶縁シート１２の固定部１８ａ，１８ｂの面積よりも大きい。したがって、ベルト１４ａ，１４ｂが強固に絶縁シート１２ｂに係着するようになる。
【００５４】
（第３の変形例）
次に、第３の変形例に係る絶縁シートについて図面を参照しながら説明する。図１０は、第３の変形例に係る絶縁シート１２ｃの展開図である。
【００５５】
絶縁シート１２ｃは、ベルトループ２０ａ，２０ｂの位置において、絶縁シート１２と相違する。以下に、かかる相違点を中心に絶縁シート１２ｃについて説明する。
【００５６】
絶縁シート１２ｃのベルトループ２０ａ，２０ｂは、絶縁シート１２のベルトループ２０ａ，２０ｂに比べて左側に設けられている。このように、ベルトループ２０ａ，２０ｂは、必ずしも、シート本体１６の右側の長辺近傍に設けられていなくてもよい。
【００５７】
以上のように構成された絶縁シート１２ｃも、絶縁シート１２と同様の作用効果を奏することができる。
【００５８】
（第４の変形例）
次に、第４の変形例に係る保護部材について図面を参照しながら説明する。図１１は、第４の変形例に係る保護部材１０ａの展開図である。
【００５９】
保護部材１０ａは、ベルト１４ａ，１４ｂの端部ｔａ，ｔｃのシート本体１６への固定方法において、保護部材１０と相違する。以下に、かかる相違点を中心に保護部材１０ａについて説明する。
【００６０】
保護部材１０ａでは、ベルト１４ａ，１４ｂの端部ｔａ，ｔｃは、縫製又は溶着によりシート本体１６に固定されている。すなわち、保護部材１０ａでは、縫製又は溶着が固定部１８ａ，１８ｂに相当する。なお、図１１では、ベルト１４ａ，１４ｂが縫製又は溶着により固定されている部分については、黒く塗りつぶして表記した。
【００６１】
以上のように構成された保護部材１０ａも、保護部材１０と同様の作用効果を奏することができる。
【００６２】
（第５の変形例）
次に、第５の変形例に係る保護部材について図面を参照しながら説明する。図１２は、第５の変形例に係る保護部材１０ｂの展開図である。
【００６３】
保護部材１０ｂは、ベルトループ２０ａ，２０ｂが設けられていた位置においてベルト１４ａ，１４ｂが縫製又は溶着によりシート本体１６に固定されている点において、保護部材１０ａと相違する。以下に、かかる相違点を中心に保護部材１０ｂについて説明する。
【００６４】
保護部材１０ｂでは、ベルトループ２０ａ，２０ｂが設けられていない。その代わりに、保護部材１０ｂでは、ベルト１４ａ，１４ｂは、シート本体１６の右側の長辺近傍においてシート本体１６の表面に縫製又は溶着により固定されている。すなわち、保護部材１０ｂでは、縫製又は溶着が、ベルト１４ａ，１４ｂが上下方向に移動することを規制する規制部２１ａ，２１ｂに相当する。なお、図１２では、ベルト１４ａ，１４ｂが縫製又は溶着により固定されている部分については、黒く塗りつぶして表記した。
【００６５】
以上のように構成された保護部材１０ｂも、保護部材１０と同様の作用効果を奏することができる。
【００６６】
（その他の実施形態）
本発明に係る保護部材及び絶縁シートは、保護部材１０，１０ａ，１０ｂ及び絶縁シート１２，１２ａ〜１２ｃに限らず、その要旨の範囲内において変更可能である。
【００６７】
なお、保護部材１０，１０ａ，１０ｂ及び絶縁シート１２，１２ａ〜１２ｃの構成を任意に組み合わせてもよい。
【００６８】
なお、シート本体１６の形状は、長方形状に限らない。
【００６９】
なお、保護部材１０では、ベルト１４ａ，１４ｂの表面は面ファスナーのフックであり、ベルト１４ａ，１４ｂの裏面は面ファスナーのループである。また、固定部１８ａ，１８ｂは面ファスナーのフックであり、仮止め部２２ａ，２２ｂは面ファスナーのループである。ただし、ベルト１４ａ，１４ｂの両面、固定部１８ａ，１８ｂ及び仮止め部２２ａ，２２ｂの面ファスナーの組み合わせはこれに限らない。ベルト１４ａ，１４ｂの表面は面ファスナーのループであり、ベルト１４ａ，１４ｂの裏面は面ファスナーのフックであり、固定部１８ａ，１８ｂは面ファスナーのループであり、仮止め部２２ａ，２２ｂは面ファスナーのフックであってもよい。
【００７０】
なお、保護部材１０に用いられている面ファスナーとして、ループ及びフック兼用の面ファスナーが用いられてもよい。また、固定部１８ａ及び仮止め部２２ａにループ及びフック兼用の面ファスナーを用いた場合には、固定部１８ａと仮止め部２２ａとを１枚の面ファスナーにより構成してもよい。同様に、固定部１８ｂ及び仮止め部２２ｂにループ及びフック兼用の面ファスナーを用いた場合には、固定部１８ｂと仮止め部２２ｂとを１枚の面ファスナーにより構成してもよい。
【００７１】
また、固定部１８ａの面ファスナー及び仮止め部２２ａの面ファスナーが共に面ファスナーのフック又はループであってもよい。同様に、固定部１８ｂの面ファスナー及び仮止め部２２ｂの面ファスナーが共に面ファスナーのフック又はループであってもよい。この場合、固定部１８ａと仮止め部２２ａとを１枚の面ファスナーにより構成してもよい。同様に、固定部１８ｂと仮止め部２２ｂとを１枚の面ファスナーにより構成してもよい。
【００７２】
なお、ベルト１４ａの端部ｔａとベルトループ２０ａとは、左右方向におけるシート本体１６の長さの１／３以上離れているとしたが、左右方向におけるシート本体１６の長さの１／２以上離れていることがより好ましい。これにより、ベルト１４ａが垂れ下がる区間を短くすることができる。ただし、このことは、ベルト１４ａの端部ｔａとベルトループ２０ａとは、左右方向におけるシート本体１６の長さの１／２以下又は１／３以下になることを妨げるものではない。なお、ベルト１４ｂの端部ｔｃとベルトループ２０ｂとについても同様のことが言える。
【産業上の利用可能性】
【００７３】
以上のように、本発明は、保護部材及び絶縁シートに有用であり、特に、電柱に容易に取り付けることができる点において優れている。
【符号の説明】
【００７４】
１０，１０ａ，１０ｂ：保護部材
１２，１２ａ〜１２ｃ：絶縁シート
１４ａ，１４ｂ：ベルト
１６：シート本体
１８ａ，１８ｂ：固定部
２０ａ，２０ｂ：ベルトループ
２１ａ，２１ｂ：規制部
２２ａ，２２ｂ：仮止め部
１００：電柱
【図１】
2015122827.tif 000003
【図２】
2015122827.tif 000004
【図３】
2015122827.tif 000005
【図４】
2015122827.tif 000006
【図５】
2015122827.tif 000007
【図６】
2015122827.tif 000008
【図７】
2015122827.tif 000009
【図８】
2015122827.tif 000010
【図９】
2015122827.tif 000011
【図１０】
2015122827.tif 000012
【図１１】
2015122827.tif 000013
【図１２】
2015122827.tif 000014
【図１３】
2015122827.tif 000015